【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
外部からの入力光をコリメートする入力光用コリメータと、外部への出力光を入射して集光し外部へ伝送する出力光用コリメータと、前記入力光用コリメータから出力光用コリメータまでの光路中に配置された干渉フィルタと、前記各コリメータと干渉フィルタとの間の光路中にそれぞれ配置された光路補正用部材とを共通の基板上に装備してなり、かつ、前記各コリメータを、前記共通の基板上に平行に形成したＶ溝に配置したことを特徴とする光モジュール。
【請求項２】
前記干渉フィルタとして、
（ａ）入射される光のうち特定の波長帯域の光のみを透過し、他の波長の光を反射する波長選択フィルタ；
（ｂ）入射される光の強度が波長に対して均一でない場合に、この強度を平坦化するように光強度を補正する利得等化フィルタ；
（ｃ）入射される光の光量の一部分のみを取り出すためのフィルタ；
のうちの少なくともいずれかが使用されていることを特徴とする請求項１記載の光モジュール。
【請求項３】
入力用光伝送路より伝送されてくる波長多重光を平行光にコリメートする入力光用コリメータと、該入力光用コリメータを通して入射される波長多重光のうち特定の波長帯域の光のみを透過し他の波長帯域の光を反射する波長選択フィルタと、該波長選択フィルタを透過した光を集光して外部の分岐用光伝送路に伝送する分岐光用コリメータと、外部の挿入用光伝送路より伝送されくる特定の波長帯域の光を平行光にコリメートして前記波長選択フィルタに入射させる挿入光用コリメータと、該挿入光用コリメータにより波長選択フィルタに入射されて透過した光と、前記波長多重光のうち波長選択フィルタで反射された光との合成光を、集光して外部の出力用光伝送路に伝送する出力光用コリメータと、前記各コリメータと波長選択フィルタの間の光路にそれぞれ配置された光路補正用部材と、を備え、これら各コリメータと波長選択フィルタと光路補正用部材とを共通の基板上に装備してなり、かつ、前記各コリメータを、前記共通の基板上に平行に形成したＶ溝に配置したことを特徴とする光モジュール。
【請求項４】
入射光の中の特定波長の光のみを透過し他波長の光を反射する分波機能と、片面から入射されて透過する特定波長の光と他面から入射されて反射する他波長の光を合波する合波機能とを有する波長選択フィルタを、前記特定波長を異ならせて複数装備すると共に、
前記複数の波長選択フィルタを、光の進行方向の上流側から下流側に向かって順番にフィルタの反射光が入射するように配置し、
最上流の波長選択フィルタへの入射光の光路上と、各波長選択フィルタの透過光の光路上と、最下流の波長選択フィルタの反射光の光路上とにそれぞれコリメータを配置し、
各コリメータと波長選択フィルタの間の光路にそれぞれ光路補正用部材を配置し、
前記各コリメータ、波長選択フィルタ、及び光路補正用部材を、共通の基板上に配置し、かつ、前記各コリメータを、前記共通の基板上に平行に形成したＶ溝に配置したことを特徴とする光モジュール。
【請求項５】
前記請求項４に記載の光モジュールのうち、最上流のコリメータを、外部の入力用光伝送路からの波長多重光を受光する入力光用コリメータとし、それ以外のコリメータを、前記波長選択フィルタで透過または反射した光を外部に取り出すための分岐光用コリメータとし、前記波長選択フィルタを分波用光素子として利用することで、波長多重光を順次分波する複数波長光分波装置を構成したことを特徴とする光モジュール。
【請求項６】
前記請求項４に記載の光モジュールのうち、最下流のコリメータを、外部の出力用光伝送路へ出力光を伝送する出力光用コリメータとし、それ以外のコリメータを、外部から前記波長選択フィルタに対して異なる波長の光を入射する挿入光用コリメータとし、前記波長選択フィルタを合波用光素子として利用することで、異なる波長の光を順次合波する複数波長光合波装置を構成したことを特徴とする光モジュール。
【請求項７】
前記各コリメータを、光ファイバと、該光ファイバの出射端あるいは入射端に配置したコリメートレンズとで構成したことを特徴とする請求項１〜６のいずれかに記載の光モジュール。
【請求項８】
前記光路補正用部材として、ミラーおよび／またはプリズムを用いたことを特徴とする請求項１〜７のいずれかに記載の光モジュール。
【請求項９】
前記光路補正用部材のミラーとして、ジンバル型のミラーを使用したことを特徴とする請求項８に記載の光モジュール。
【請求項１０】
前記光路補正用部材のプリズムとして、ジンバル型の位置調整を行う全反射プリズムを使用したことを特徴とする請求項８に記載の光モジュール。
【手続補正２】
【補正対象書類名】明細書
【補正対象項目名】００２２
【補正方法】変更
【補正の内容】
【００２２】
請求項１の発明の光モジュールは、外部からの入力光をコリメートする入力光用コリメータと、外部への出力光を入射して集光し外部へ伝送する出力光用コリメータと、前記入力光用コリメータから出力光用コリメータまでの光路中に配置された干渉フィルタと、前記各コリメータと干渉フィルタとの間の光路中にそれぞれ配置された光路補正用部材とを共通の基板上に装備してなり、かつ、前記各コリメータを、前記共通の基板上に平行に形成したＶ溝に配置したことを特徴とする。
【手続補正３】
【補正対象書類名】明細書
【補正対象項目名】００２３
【補正方法】変更
【補正の内容】
【００２３】
本発明では、各コリメータと干渉フィルタとの間の光路中にそれぞれ光路補正部材を配置しているので、各光路補正部材を調整することによって、コリメータ間の光軸ずれを容易に補正することができ、良好な光結合を実現することができる。また、各構成部品を共通基板上に固定し、部品間を光が空間伝搬する構成としているので、無駄な部品を使わずに済み、必要最小限の体積で、光モジュールの低価格化及び小型化を図ることができる。また、本発明では、共通基板上に平行に形成したＶ溝に各コリメータを固定しているので、光路補正用部材で光路を調整することにより、加工の容易な平行なＶ溝を使用しながら、各コリメータ間の光軸ずれを容易に補正することができ、良好な光結合を行うことができる。
【手続補正４】
【補正対象書類名】明細書
【補正対象項目名】００２５
【補正方法】変更
【補正の内容】
【００２５】
請求項３の発明の光モジュールは、入力用光伝送路より伝送されてくる波長多重光を平行光にコリメートする入力光用コリメータと、該入力光用コリメータを通して入射される波長多重光のうち特定の波長帯域の光のみを透過し他の波長帯域の光を反射する波長選択フィルタと、該波長選択フィルタを透過した光を集光して外部の分岐用光伝送路に伝送する分岐光用コリメータと、外部の挿入用光伝送路より伝送されくる特定の波長帯域の光を平行光にコリメートして前記波長選択フィルタに入射させる挿入光用コリメータと、該挿入光用コリメータにより波長選択フィルタに入射されて透過した光と、前記波長多重光のうち波長選択フィルタで反射された光との合成光を、集光して外部の出力用光伝送路に伝送する出力光用コリメータと、前記各コリメータと波長選択フィルタの間の光路にそれぞれ配置された光路補正用部材と、を備え、これら各コリメータと波長選択フィルタと光路補正用部材とを共通の基板上に装備してなり、かつ、前記各コリメータを、前記共通の基板上に平行に形成したＶ溝に配置したことを特徴とする。
【手続補正５】
【補正対象書類名】明細書
【補正対象項目名】００２７
【補正方法】変更
【補正の内容】
【００２７】
請求項４の発明の光モジュールは、  入射光の中の特定波長の光のみを透過し他波長の光を反射する分波機能と、片面から入射されて透過する特定波長の光と他面から入射されて反射する他波長の光を合波する合波機能とを有する波長選択フィルタを、前記特定波長を異ならせて複数装備すると共に、
前記複数の波長選択フィルタを、光の進行方向の上流側から下流側に向かって順番にフィルタの反射光が入射するように配置し、
最上流の波長選択フィルタへの入射光の光路上と、各波長選択フィルタの透過光の光路上と、最下流の波長選択フィルタの反射光の光路上とにそれぞれコリメータを配置し、
各コリメータと波長選択フィルタの間の光路にそれぞれ光路補正用部材を配置し、
前記各コリメータ、波長選択フィルタ、及び光路補正用部材を、共通の基板上に配置し、かつ、前記各コリメータを、前記共通の基板上に平行に形成したＶ溝に配置したことを特徴とする。
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】変更
【補正の内容】
【００３６】
請求項７の発明は、請求項１〜６の発明において、前記コリメータとして、光ファイバと、該光ファイバの出射端あるいは入射端に配置したコリメートレンズとで構成したことを特徴とする。
【手続補正１１】
【補正対象書類名】明細書
【補正対象項目名】００３７
【補正方法】変更
【補正の内容】
【００３７】
請求項８に記載の発明は、請求項１〜６のいずれかに記載の光モジュールにおいて、前記光路補正用部材として、ミラーおよび／またはプリズムを好個に用いることができる。ここでプリズムとしては、全反射型のプリズム、楔形プリズム、ジンバル型の位置調整を行う全反射プリズムを用いたことを特徴とする。
【手続補正１２】
【補正対象書類名】明細書
【補正対象項目名】００３８
【補正方法】変更
【補正の内容】
【００３８】
そして、請求項８に記載した光路補正用部材に用いるプリズムとして、全反射型のプリズムまたは任意角度を有する楔形プリズムの頂角部分を使用することは、さらに望ましい構成である。
【手続補正１３】
【補正対象書類名】明細書
【補正対象項目名】００３９
【補正方法】変更
【補正の内容】
【００３９】
請求項９に記載したように、請求項８に記載した前記光路補正用部材に用いるミラーとして、ジンバル型のミラーを使用することは、さらに望ましい構成である。
【手続補正１４】
【補正対象書類名】明細書
【補正対象項目名】００４０
【補正方法】変更
【補正の内容】
【００４０】
請求項１０に記載したように、請求項８に記載した前記光路補正用部材に用いるプリズムとして、ジンバル型の位置調整を行う全反射型のプリズムを使用することは、さらに望ましい構成である。